(57)【要約】本発明は駆動チップ及び周波数設定回路を含むＬＥＤバックライト駆動回路を提供する。前記周波数設定回路は少なくとも二組の並列に接続された抵抗を含み、この一端は前記駆動チップの周波数設定ピンＲＴに接続され、他端は接地される。これらの抵抗中の少なくとも一つの抵抗値を調節することでＬＥＤバックライト駆動信号の周波数を調節する。本発明は液晶表示装置を更に提供する。本発明が提供するＬＥＤバックライト駆動回路及び液晶表示装置は、複数個の直列並列接続型抵抗を含むことにより、一層正確な抵抗値を獲得し、ＭＯＳトランジスタ駆動信号の周波数をより正確に調節することができる。また、それらの抵抗中のいずれか１個の抵抗がオープン状態或いはショート状態になっても、他の抵抗が存在するので、ＭＯＳトランジスタ駆動信号の周波数が無限小或いは無限大になることを防止し、抵抗がオープン状態になるか或いはショート状態になる時の安全リスクを低減し、安全性を向上させることができる。
2016507874.tif 000002
【特許請求の範囲】
【請求項１】
駆動チップ及び周波数設定回路を含むＬＥＤバックライト駆動回路であって、前記周波数設定回路は少なくとも二組の並列に接続された抵抗を含み、この一端は前記駆動チップの周波数設定ピンＲＴに接続され、他端は接地され、これらの抵抗中の少なくとも一つの抵抗値を調節することでＬＥＤバックライト駆動信号の周波数を調節する、ＬＥＤバックライト駆動回路。
【請求項２】
前記各組の抵抗は直列に接続された少なくとも２個の抵抗を含む、請求項１に記載のＬＥＤバックライト駆動回路。
【請求項３】
前記周波数設定回路は二組の並列に接続された抵抗を含み、第一組の抵抗はＲ１とＲ２を含み、Ｒ１とＲ２は直列に接続されており、第二組の抵抗はＲ３とＲ４を含み、Ｒ３とＲ４は直列に接続されている、請求項２に記載のＬＥＤバックライト駆動回路。
【請求項４】
駆動チップ及び周波数設定回路を含むＬＥＤバックライト駆動回路であって、前記周波数設定回路は二組の並列に接続された抵抗を含み、この一端は前記駆動チップの周波数設定ピンＲＴに接続され、他端は接地され、これらの抵抗中の少なくとも一つの抵抗値を調節することでＬＥＤバックライト駆動信号の周波数を調節し、第一組の抵抗はＲ１とＲ２を含み、Ｒ１とＲ２は直列に接続されており、第二組の抵抗はＲ３とＲ４を含み、Ｒ３とＲ４は直列に接続されている、ＬＥＤバックライト駆動回路。
【請求項５】
少なくともＬＥＤバックライト駆動回路を含む液晶表示装置であって、前記ＬＥＤバックライト駆動回路は駆動チップ及び周波数設定回路を更に含み、前記周波数設定回路は少なくとも二組の並列に接続された抵抗を含み、この一端は前記駆動チップの周波数設定ピンＲＴに接続され、他端は接地され、これらの抵抗中の少なくとも一つの抵抗値を調節することでＬＥＤバックライト駆動信号の周波数を調節する、液晶表示装置。
【請求項６】
前記各組の抵抗は直列に接続された少なくとも２個の抵抗を含む、請求項５に記載の液晶表示装置。
【請求項７】
前記周波数設定回路は二組の並列に接続された抵抗を含み、第一組の抵抗はＲ１とＲ２を含み、Ｒ１とＲ２は直列に接続されており、第二組の抵抗はＲ３とＲ４を含み、Ｒ３とＲ４は直列に接続されている、請求項６に記載の液晶表示装置。
【発明の詳細な説明】
【技術分野】
【０００１】
本願は、２０１３年１月２９日に中国専利局（中国特許庁）に提出し、出願番号が２０１３１００３３４１７．３であり、発明の名称が「ＬＥＤバックライト駆動回路及び液晶表示装置」である中国出願の優先権を主張し、前記出願のすべての内容を引用するとともにそれらを本願に組み入れる。
本発明は、画像表示分野に関し、特にＬＥＤバックライト駆動回路及び液晶表示装置に関するものである。
【背景技術】
【０００２】
ＬＥＤバックライト駆動回路において、ＭＯＳトランジスタ（Metal−Oxide−Semiconductor  Field  Effect  Transistor、金属酸化膜半導体電界効果トランジスタ）の駆動信号は定電流駆動チップが提供し、駆動信号の周波数はＲＴ  Pin（周波数設定ピン）に接続された抵抗が決定し、この計算式はｆ（ＫＨｚ）=constant／Ｒである。すなわち、周波数ｆは定数（この定数は各駆動チップのメーカが自ら決定する）と抵抗Ｒの値の比率である。
【０００３】
ＬＥＤバックライト駆動回路において、一般にＭＯＳトランジスタ駆動信号の周波数を１００〜２００ＫＨｚにする。周波数が小さすぎると、ＭＯＳトランジスタの導電損失が大きくなり、周波数が大きすぎると、ＭＯＳトランジスタの開閉損失が大きくなる。この２つの場合、ＭＯＳトランジスタの温度が非常に高くなるので、回路全体の変換効率が低下する。図１に示すとおり、従来のＬＥＤバックライト駆動回路における、周波数設定ピンＲＴには周波数設定抵抗Ｒが一個しか設けられていない。該バックライト駆動回路は下記のような技術欠点を有している。
１、一個の周波数設定抵抗Ｒに常用抵抗値しか入ってないので、ＭＯＳトランジスタの周波数を調節するとき、適当な抵抗値を有する抵抗を選択することができず、この周波数を容易に調節することができない。
２、回路基板の電気特性を測定するとき、各部品がオープン（open）／ショート（short）状態になった時の回路全体の安全性を測定する必要がある。周波数設定抵抗Ｒがショート状態になるとき、式ｆ（ＫＨｚ）=constant／Ｒによって、ＭＯＳトランジスタ駆動信号の周波数が無限大になる。これにより、ＭＯＳトランジスタの開閉損失が非常に大きくなり、温度が急激に上昇するので、ＭＯＳトランジスタが爆発する安全リスクがある。
【発明の概要】
【発明が解決しようとする課題】
【０００４】
本発明が解決しようとする技術的問題は、駆動信号の周波数を正確に調節することができ、かつ抵抗がオープン／ショート状態になった時の安全性を向上させることができるＬＥＤバックライト駆動回路及び液晶表示装置を提供することにある。
【課題を解決するための手段】
【０００５】
上述した技術的問題を解決するため、本発明はＬＥＤバックライト駆動回路を提供する。このＬＥＤバックライト駆動回路は駆動チップ及び周波数設定回路を含む。周波数設定回路は少なくとも二組の並列に接続された抵抗を含み、この一端は駆動チップの周波数設定ピンＲＴに接続され、他端は接地される。これらの抵抗中の少なくとも一つの抵抗値を調節することでＬＥＤバックライト駆動信号の周波数を調節する。
【０００６】
前記ＬＥＤバックライト駆動回路において、各組の抵抗は直列に接続された少なくとも２個の抵抗を含む。
【０００７】
前記ＬＥＤバックライト駆動回路において、周波数設定回路は二組の並列に接続された抵抗を含み、第一組の抵抗はＲ１とＲ２を含み、Ｒ１とＲ２は直列に接続されており、第二組の抵抗はＲ３とＲ４を含み、Ｒ３とＲ４は直列に接続されている。
【０００８】
本発明は他のＬＥＤバックライト駆動回路を更に提供する。このＬＥＤバックライト駆動回路は駆動チップ及び周波数設定回路を含む。周波数設定回路は二組の並列に接続された抵抗を含み、この一端は駆動チップの周波数設定ピンＲＴに接続され、他端は接地される。これらの抵抗中の少なくとも一つの抵抗値を調節することでＬＥＤバックライト駆動信号の周波数を調節する。第一組の抵抗はＲ１とＲ２を含み、Ｒ１とＲ２は直列に接続されており、第二組の抵抗はＲ３とＲ４を含み、Ｒ３とＲ４は直列に接続されている。
【０００９】
本発明は液晶表示装置を更に提供する。この液晶表示装置は少なくともＬＥＤバックライト駆動回路を含み、ＬＥＤバックライト駆動回路は駆動チップ及び周波数設定回路を更に含む。周波数設定回路は少なくとも二組の並列に接続された抵抗を含み、この一端は駆動チップの周波数設定ピンＲＴに接続され、他端は接地される。これらの抵抗中の少なくとも一つの抵抗値を調節することでＬＥＤバックライト駆動信号の周波数を調節する。
【００１０】
前記液晶表示装置において、各組の抵抗は直列に接続された少なくとも２個の抵抗を含む。
【００１１】
前記液晶表示装置において、周波数設定回路は二組の並列に接続された抵抗を含み、第一組の抵抗はＲ１とＲ２を含み、Ｒ１とＲ２は直列に接続されており、第二組の抵抗はＲ３とＲ４を含み、Ｒ３とＲ４は直列に接続されている。
【発明の効果】
【００１２】
本発明が提供するＬＥＤバックライト駆動回路及び液晶表示装置は、複数個の直列並列接続型抵抗を含むことにより、一層正確な抵抗値を獲得し、ＭＯＳトランジスタ駆動信号の周波数をより正確に調節することができる。また、それらの抵抗中のいずれか１個の抵抗がオープン状態になるか或いはショート状態になっても、他の抵抗が存在するので、ＭＯＳトランジスタ駆動信号の周波数が無限小になるか或いは無限大になることを防止し、抵抗がオープン状態になるか或いはショート状態になる時の安全リスクを低減し、安全性を向上させることができる。
【図面の簡単な説明】
【００１３】
本発明の実施例或いは従来の技術中の技術事項をより詳細に説明するため、以下本発明の実施例或いは従来の技術に使用される図面を簡単に説明する。周知のとおり、下述する図面が本発明の実施例に関するものであるので、本技術分野の当業者が創造的な思考をしなくても、下記図面に基づいて他の図面を想い出すことができる。
【図１】従来のＬＥＤバックライト駆動回路を示す図である。
【図２】本発明の実施例に係るＬＥＤバックライト駆動回路を示す図である。
【発明を実施するための形態】
【００１４】
以下、本発明の図面により本発明の好適な実施例を説明する。
【００１５】
本発明の実施例が提供するＬＥＤバックライト駆動回路は、駆動チップ及び周波数設定回路を含む。周波数設定回路は少なくとも二組の並列に接続された抵抗を含み、この一端は駆動チップの周波数設定ピンＲＴに接続され、他端は接地される。これらの抵抗中の少なくとも一つの抵抗値を調節することでＬＥＤバックライト駆動信号の周波数を調節することができる。
【００１６】
具体的に、図２に示すとおり、周波数設定回路は二組の並列に接続された抵抗を含む。第一組の抵抗はＲ１とＲ２を含み、Ｒ１とＲ２は直列に接続されている。第二組の抵抗はＲ３とＲ４を含み、Ｒ３とＲ４は直列に接続されている。このような回路構造によって、周波数設定回路の同価抵抗Ｒの逆数は１／Ｒ＝１／（Ｒ１＋Ｒ２）＋１／（Ｒ３＋Ｒ４）を満足する。上述したとおり、式ｆ（ＫＨｚ）=constant／Ｒにより、Ｒ値を改変することでＭＯＳトランジスタ駆動信号の周波数を改変することができる。周波数設定回路中の４個の抵抗Ｒ１〜Ｒ４の組によって一層正確な抵抗値を獲得することができ、ＭＯＳトランジスタ駆動信号の周波数をより正確に調節することができる。抵抗Ｒ１〜Ｒ４のうちいずれか一個の抵抗がオープン或いはショート状態になるとき、他の３個の抵抗が存在することにより、ＭＯＳトランジスタ駆動信号の周波数が無限小になるか或いは無限大になる異常事態が発生することを防止し、抵抗がオープン或いはショート状態になった時の安全リスクを低減し、安全性を向上させることができる。
【００１７】
例えば、図２中の駆動チップの定数constantの値が１０００であり、ＭＯＳトランジスタ駆動信号の周波数を１２０ＫＨｚに調節するため、周波数設定回路の同価抵抗Ｒを２５／３ｋΩにする必要がある。背景技術に記載されたとおり、従来の常用抵抗中に２５／３ｋΩのような正確な抵抗値がないので、ＭＯＳトランジスタ駆動信号の周波数を正確に調節する需要を満たしにくい。しかしながら、図２に示す周波数設定回路において、Ｒ１を１０ｋΩにし、Ｒ２を１５ｋΩにし、Ｒ３を１０ｋΩにし、Ｒ４を２．５ｋΩにし（これらはいずれも常用抵抗値である）、かつ１／Ｒ＝１／（１０＋１５）＋１／（１０＋２．５）＝１／２５＋１／１２．５＝１／２５＋２／２５＝３／２５ｋΩによって、Ｒ＝２５／３ｋΩを獲得することができる。すなわち、このような組合せ方法により、常用抵抗値を有する抵抗を選択することで特殊な抵抗値需要を満たすことができる。ＭＯＳトランジスタ駆動信号の周波数を再び調節する必要がある場合、少なくとも一個の抵抗の抵抗値を改変することで（異なる抵抗値の抵抗を選択することで）再調節を実現することができる。これにより、従来の技術に抵抗が一個しか設けられていないことによって抵抗値の選択が制限されていることを避け、ＭＯＳトランジスタ駆動信号の周波数を容易に調節することができる。
【００１８】
また、図２に示される周波数設定回路における、各組の抵抗はいずれも２個の抵抗を含むことができる。この場合、いずれか１個の抵抗（例えばＲ１）がショート状態になっても、他の１個の抵抗（Ｒ２）が直列に接続されているので、ＭＯＳトランジスタ駆動信号の周波数が無限大になることを防止し、この温度が急激に上昇することによってＭＯＳトランジスタが爆発する安全リスクを避けることができる。
【００１９】
また、ＬＥＤバックライト駆動回路の複雑性を過度に増加させない限り、周波数設定回路は複数組の並列に接続された抵抗を含み、各組の抵抗は直列に接続された２個以上の抵抗を含むことができる。これにより、一層正確な抵抗値を獲得し、ＭＯＳトランジスタ駆動信号の周波数をより柔軟に調節することができる。この作動原理は図２と同様であるので、ここでは再び説明しない。
【００２０】
本発明の実施例二において、少なくとも図２のＬＥＤバックライト駆動回路を含む液晶表示装置を提供する。該ＬＥＤバックライト駆動回路は、駆動チップ及び周波数設定回路を更に含む。周波数設定回路は少なくとも二組の並列に接続された抵抗を含み、この一端は駆動チップの周波数設定ピンＲＴに接続され、他端は接地される。これらの抵抗中の少なくとも一つの抵抗値を調節することでＬＥＤバックライト駆動信号の周波数を調節することができる。
【００２１】
本実施例中の周波数設定回路は実施例一のものと同様である。例えば、各組の抵抗は直列に接続された少なくとも２個の抵抗を含むことができる。具体的に、図２に示すとおり、周波数設定回路は二組の並列に接続された抵抗を含む。第一組の抵抗はＲ１とＲ２を含み、Ｒ１とＲ２は直列に接続されている。第二組の抵抗はＲ３とＲ４を含み、Ｒ３とＲ４は直列に接続されている。
【００２２】
本発明が提供するＬＥＤバックライト駆動回路及び液晶表示装置は、複数個の直列並列接続型抵抗を含むことにより、一層正確な抵抗値を獲得し、ＭＯＳトランジスタ駆動信号の周波数をより正確に調節することができる。また、それらの抵抗中のいずれか１個の抵抗がオープン状態になるか或いはショート状態になっても、他の抵抗が存在するので、ＭＯＳトランジスタ駆動信号の周波数が無限小になるか或いは無限大になることを防止し、抵抗がオープン状態になるか或いはショート状態になる時の安全リスクを低減し、安全性を向上させることができる。
【００２３】
以上、これらの発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。
【図１】
2016507874.tif 000003
【図２】
2016507874.tif 000004
【国際調査報告】
2016507874.tif 000005
2016507874.tif 000006
2016507874.tif 000007
2016507874.tif 000008
2016507874.tif 000009